(57)【特許請求の範囲】
【請求項１】
入賞した遊技球を遊技盤（１３）の裏側に案内する入賞手段（２４）と、該入賞手段（２４）により前記遊技盤（１３）の裏側に案内された遊技球を所定方向に案内する案内通路（６４）とを備えた弾球遊技機において、前記案内通路（６４）を、前記入賞手段（２４）の裏側に回動自在に設け、前記入賞手段（２４）は、前記遊技盤（１３）に対して前側から着脱可能であり、前記案内通路（６４）は、前記遊技盤（１３）の裏側に案内された遊技球を所定方向に案内する案内位置と、前記入賞手段（２４）の前記遊技盤（１３）への着脱が可能な着脱位置との間で回動自在であると共に前記案内位置において前記遊技盤（１３）の裏面側に当接するように構成し、前記案内通路（６４）を前記案内位置に保持する案内位置保持手段（８５ｂ）（９１）（９５）を備えたことを特徴とする弾球遊技機。
【請求項２】
前記案内通路（６４）を前記着脱位置に保持する着脱位置保持手段（８５ａ）（９１）を備えたことを特徴とする請求項１に記載の弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
例えばパチンコ機では、遊技盤の遊技領域の略中央に液晶表示手段等よりなる特別図柄表示手段を、遊技領域の下部近傍に大入賞手段を、それら特別図柄表示手段と大入賞手段との間に特別図柄始動手段を夫々配置し、特別図柄始動手段へ遊技球が入賞することを条件に特別図柄表示手段の３つの特別図柄を所定時間変動表示すると共に、その変動後の停止図柄が予め定められた大当たり態様となった場合に、大入賞手段を開放して遊技者に有利な利益状態を発生させるようにしたものが一般的となっている。
【０００３】
特別図柄始動手段や大入賞手段等の入賞手段は、遊技盤の前側で入賞した遊技球を遊技盤の裏側に案内するように構成されており、遊技盤の裏側に案内された遊技球は、遊技盤の下方で集められ、所定の排出口から島側に回収されるようになっている。また、入賞手段に入賞して遊技盤の裏側に案内された遊技球は、樋状の案内通路によって他の入賞手段を避けてスムーズに下方に案内されるようになっている。
【０００４】
例えば、特別図柄表示手段と大入賞手段の中間に配置される特別図柄始動手段の裏側には、入賞して遊技盤の裏側に案内された遊技球を下向きに案内する案内通路が配置され、例えば大入賞手段の上面側に形成された前後方向の案内樋に遊技球を受け渡して大入賞手段の後側を経て遊技盤の下方に案内するようになっている。
【０００５】
この種のパチンコ機では、特別図柄始動手段は、遊技盤に対して前側から着脱可能に形成され、案内通路は、特別図柄始動手段を遊技盤に前側から装着した後、遊技盤の裏側から特別図柄始動手段或いは遊技盤裏面側に固定するものが一般的である。
【発明の開示】
【発明が解決しようとする課題】
【０００６】
従来のパチンコ機では、例えば特別図柄始動手段の裏側に設けられる案内通路が特別図柄始動手段とは別体となっており、特別図柄始動手段を遊技盤の前側から装着した後、案内通路を遊技盤の裏側から装着するようになっているため、特別図柄始動手段の遊技盤への着脱作業が繁雑で手間がかかる問題があった。
【０００７】
本発明は、このような問題点に鑑み、入賞手段をその裏側の案内通路と共に遊技盤に対して容易且つ確実に着脱することが可能な弾球遊技機を提供することを目的とする。
【課題を解決するための手段】
【０００８】
本発明は、入賞した遊技球を遊技盤１３の裏側に案内する入賞手段２４と、該入賞手段２４により前記遊技盤１３の裏側に案内された遊技球を所定方向に案内する案内通路６４とを備えた弾球遊技機において、前記案内通路６４を、前記入賞手段２４の裏側に回動自在に設け、前記入賞手段２４は、前記遊技盤１３に対して前側から着脱可能であり、前記案内通路６４は、前記遊技盤１３の裏側に案内された遊技球を所定方向に案内する案内位置と、前記入賞手段２４の前記遊技盤１３への着脱が可能な着脱位置との間で回動自在であると共に前記案内位置において前記遊技盤１３の裏面側に当接するように構成し、前記案内通路６４を前記案内位置に保持する案内位置保持手段８５ｂ，９１，９５を備えたものである。
【発明の効果】
【０００９】
本発明によれば、入賞した遊技球を遊技盤１３の裏側に案内する入賞手段２４と、該入賞手段２４により遊技盤１３の裏側に案内された遊技球を所定方向に案内する案内通路６４とを備えた弾球遊技機において、案内通路６４を、入賞手段２４の裏側に回動自在に設け、入賞手段２４は、遊技盤１３に対して前側から着脱可能であり、案内通路６４は、遊技盤１３の裏側に案内された遊技球を所定方向に案内する案内位置と、入賞手段２４の遊技盤１３への着脱が可能な着脱位置との間で回動自在であると共に案内位置において遊技盤１３の裏面側に当接するように構成し、案内通路６４を案内位置に保持する案内位置保持手段８５ｂ，９１，９５を備えているため、入賞手段２４をその裏側の案内通路６４と共に遊技盤１３に対して容易且つ確実に着脱することが可能である。
【発明を実施するための最良の形態】
【００１０】
以下、本発明の実施形態を図面に基づいて詳述する。図１〜図９は本発明をパチンコ機として具現化した第１の実施形態を例示している。１は遊技機本体で、矩形状の外枠２の前側に、上下一対のヒンジ４を介して前枠３が開閉自在に枢着されている。５はガラス扉、６は前面開閉板で、これらは前枠３の窓孔７に対応して上下に配置され、前枠３に開閉自在に枢支されている。
【００１１】
８は発射用の遊技球を貯留する上皿で、前面開閉板６の前側に装着され、上皿カバー９により覆われている。また、１０は余剰球等を貯留する下皿、１１は灰皿で、これらは前面開閉板６の下側で前枠３の前側に左右に配置され、下皿カバー１２により覆われている。１３は遊技盤で、前枠３の窓孔７に対応するように、前枠３の裏側に設けられる図外の遊技盤装着枠に裏側から着脱自在に装着され、窓孔７の下部側で前枠３の裏側に装着された図外の支持板により下側から支持されている。
【００１２】
１６は発射手段で、下皿１０の一側で前枠３の前側に装着された発射ハンドル１７と、支持板の前側に装着された発射レール１８と、前枠３の裏側に配置された発射モータ１９及び打撃槌２０等を備え、発射ハンドル１７を操作したときに、発射モータ１９により打撃槌２０が作動して、前面開閉板６の裏側に装着された図外の球送り手段により発射レール１８上に１個ずつ供給される遊技球を遊技盤１３側に発射させるようになっている。
【００１３】
遊技盤１３の前側には、図２に示すように、発射手段１６により発射された遊技球を案内するガイドレール２１が環状に装着されると共に、そのガイドレール２１の内側の遊技領域２２に、液晶表示手段２３、特別図柄始動手段（入賞手段）２４、大入賞手段２５、普通図柄始動手段２６、普通入賞手段２７等の各種遊技部品が配置されている。液晶表示手段２３は、遊技領域２２の略中央に配置され、その下側に特別図柄始動手段２４と大入賞手段２５とが上下に配置されている。また、遊技領域２２の最下部には、アウト口２８が設けられている。
【００１４】
液晶表示手段２３は、特別図柄表示手段２９を構成するもので、更にその上部に普通図柄表示手段３０が設けられている。普通図柄表示手段３０は、１個又は複数個、例えば１個の普通図柄を表示可能な例えば７セグメント等の表示手段により構成され、普通図柄始動手段２６に遊技球が入賞することを条件に、例えば１つの普通図柄が所定時間変動して停止するようになっている。
【００１５】
特別図柄表示手段２９は、１個又は複数個、例えば左右方向に３個の特別図柄を液晶表示手段２３の例えば上下方向略中央部分に表示し、特別図柄始動手段２４が遊技球を検出することを条件に、各特別図柄が上下方向又は左右方向にスクロールする等、所定の変動パターンで所定時間変動して停止するようになっている。
【００１６】
特別図柄始動手段２４は、例えば左右一対の開閉爪３１を備えた電動チューリップ等の開閉入賞手段により構成されており、普通図柄表示手段３０の変動後の停止図柄が予め定められた当たり態様となったときに、開閉爪３１を所定時間開放するようになっている。
【００１７】
大入賞手段２５は、いわゆるアタッカーを構成するもので、例えば下部側の横軸廻りに開閉可能な開閉板３２を備え、特別図柄表示手段２９の変動後の停止図柄が予め定められた所定の大当たり態様となったときに、開閉板３２が前側に開放するようになっている。
【００１８】
遊技盤１３の裏側には、図３及び図４に示すように、液晶表示手段２３、特別図柄始動手段２４、大入賞手段２５、アウト口２８等を裏側から覆う裏カバー３３が装着されている。裏カバー３３の下部には、遊技盤１３の裏面側に案内された入賞球やアウト球を集めて排出口３４から島側へ排出するための集球カバー３５が一体に設けられている。
【００１９】
続いて、大入賞手段２５及び特別図柄始動手段２４の構成について更に詳しく説明する。大入賞手段２５は、図４に示すように、本体ケース４１と、該本体ケース４１の前側に着脱自在に装着された装飾ケース４２とを備えている。装飾ケース４２は、遊技盤１３に形成された取り付け孔１３ｂの内面側に沿って形成された矩形枠４３と、その矩形枠４３の前側を覆う前カバー４４とを一体に備えている。
【００２０】
前カバー４４は板状で、その周縁部が矩形枠４３の外側に張り出すように設けられており、その張り出し部の裏面側を遊技盤１３の前面側に当接させるようになっている。前カバー４４には、矩形枠４３に対応する横長矩形状の入賞口４５が形成されており、その入賞口４５を前側から塞ぐように開閉板３２が装着されている。開閉板３２は、その下縁に沿った左右方向の回転軸３２ａにより揺動自在に枢支されており、後述するソレノイド４９（図３）の駆動により前側に開いて、遊技盤１３側の遊技球を入賞口４５内に案内するようになっている。なお、前カバー４４には、入賞口４５の左右両側に、前向きに突出する装飾障害部４７が一体に設けられている。
【００２１】
装飾ケース４２の後側下部には、後下がりの傾斜状に形成された案内ステージ４８が例えば一体に設けられており、開閉板３２によって入賞口４５内に案内された遊技球を遊技盤１３の裏側に案内するようになっている。
【００２２】
本体ケース４１は、その外形が略直方体状に形成されており、その内部には、開閉板３２を開閉駆動するソレノイド４９、案内ステージ４８によって案内された遊技球を集球カバー３５に向けて下向きに排出する排出通路５０、この排出通路５０によって下向きに排出される遊技球を検出する検出スイッチ５１等が設けられている。
【００２３】
本体ケース４１の左右両側部には、図８、図９に示すように、本体ケース４１の側方に張り出す張り出し部５３が一体形成され、この各張り出し部５３に夫々係止部材５４が装着されている。係止部材５４は、大入賞手段２５を遊技盤１３に圧入固定するためのもので、係止片５５ａと案内片５５ｂとでへの字型に屈曲形成された上下一対の係止爪５５を張り出し部５３の上下に弾性変形可能に備えている。
【００２４】
大入賞手段２５を遊技盤１３の取り付け孔１３ｂに前側から装着する際には、係止部材５４は、係止爪５５の案内片５５ｂが取り付け孔１３ｂの上下面間で摺動しつつ上下に圧縮されて弾性変形した後、前カバー４４の裏面側が遊技盤１３の前面に当接したとき、係止片５５ａが遊技盤１３の裏面側に後側から係合して遊技盤１３を前向きに押圧し、大入賞手段２５を遊技盤１３に固定するようになっている。
【００２５】
本体ケース４１の上面には、図４、図８、図９等に示すように、その左右方向中央に、溝状の案内樋５７が前後方向に形成されている。この案内樋５７は、その底面５８が後ろ向きに傾斜しており、上側の特別図柄始動手段２４側から落下してきた遊技球を後方に流下させ、本体ケース４１の後側を介して下方の集球カバー３５側に案内するようになっている。
【００２６】
特別図柄始動手段２４は、図４〜図６に示すように、本体部６１、開閉爪３１、前カバー６２、案内樋６３、案内通路６４等を備えている。本体部６１は、例えば板状で、遊技盤１３の取り付け孔１３ａに対応してその周縁部に前側から当接するようになっており、その前面側に左右一対の開閉爪３１が開閉自在に装着されている。
【００２７】
本体部６１の裏側にはソレノイド６５が装着され、その駆動軸６５ａと開閉爪３１とが、左右方向の回転軸６６ａ廻りに揺動自在の揺動部材６６を介して接続されており、ソレノイド６５の駆動により揺動部材６６を介して開閉爪３１が開閉するようになっている。また、本体部６１は、ネジ等の固定手段により遊技盤１３の前側に着脱自在に固定されるようになっている。
【００２８】
前カバー６２は、開閉爪３１を前側から覆って入賞口６７を形成するもので、開閉爪３１間に入賞した遊技球を、本体部６１の下部に形成された開口６８を介して後向きに案内するようになっている。本体部６１と前カバー６２との間には、開閉爪３１の下側に、入賞口６７に入賞した遊技球を検出する検出スイッチ６９が装着されている。
【００２９】
案内樋６３は、入賞口６７に入賞した遊技球を遊技盤１３の裏面側に案内するためのもので、開口６８に対応して本体部６１の裏面側から遊技盤１３の裏面側よりも更に後方まで突設されており、左右一対の側壁７０と、それら側壁７０の下縁部側を左右に接続する底壁７１と、それらの後端側を塞ぐ後壁７２とを一体に備えている。底壁７１は後下がりの傾斜状に形成され、その遊技盤１３よりも後方の部分には、遊技球が通過可能な開口部７３が形成されており、入賞口６７に入賞した遊技球を開口６８から後ろ向きに案内した後、開口部７３から遊技盤１３の裏面側に沿って下向きに流下させるようになっている。
【００３０】
案内樋６３の遊技盤１３よりも後側の側壁７０上には、その外面側に、案内通路６４を回動自在に支持する回動軸７４と、案内通路６４の回動を所定範囲内に規制するための回動規制ピン７５とが、例えば前後に配置されている。
【００３１】
案内通路６４は、案内樋６３により遊技盤１３の裏面側に案内された遊技球を下向きに案内するためのもので、左右一対の側板８１と、それら側板８１を左右に接続する背面板８２とを例えば一体に備えており、側板８１が案内樋６３の側壁６８の外側で回動軸７４により回動自在に支持されている。
【００３２】
側板８１には、案内樋６３側の回動軸７４が嵌合する軸受け孔８３と、回動規制ピン７５が嵌合する案内孔８４とが設けられている。案内孔８４は、案内通路６４を後ろ向き略水平な位置（図５に２点鎖線で示す。以下、着脱位置という）と下向き略鉛直な位置（図５に実線で示す。以下、案内位置という）との間で回動させたときの回動規制ピン７５の軌跡に対応する１／４円弧状の長孔に形成されている。これにより、案内通路６４は、その回動範囲が着脱位置と案内位置との間の略９０度の範囲内に規制されている。
【００３３】
更に、案内孔８４内には、その両端部近傍に、その孔幅を回動規制ピン７５の直径よりも若干狭くするように突起部８５ａ（着脱位置保持手段），８５ｂ（案内位置保持手段）が設けられている。案内通路６４の回動時には、回動規制ピン７５は突起部８５ａ，８５ｂを外側に押し広げつつ案内孔８４の両端部に到達すると共に、突起部８５ａ，８５ｂによりその案内孔８４の両端部位置に保持される。即ち、突起部８５ａ，８５ｂは、回動規制ピン７５を案内孔８４の両端部で保持することにより、案内通路６４を着脱位置と案内位置とで夫々保持するようになっている。
【００３４】
案内通路６４は、案内位置では案内樋６３と略直角となってその前側（側板８１の前縁部８１ａ）が遊技盤１３の裏面側に略当接し、着脱位置では案内樋６３と略平行となってその下側（側板８１の前縁部８１ａ）が案内樋６３の底壁７１の下面側と略一致するか若干上方に位置するようになっている。
【００３５】
背面板８２は、側板８１の後縁部８１ｂを左右に接続するように例えば一体に設けられており、案内位置にある案内通路６４の後側を覆うようになっている。背面板８２は、案内通路６４が着脱位置にあるときに案内樋６３の後端側と干渉しないように、案内通路６４の下流端側から上流側に向けて所定幅の範囲に設けられている。
【００３６】
なお、案内通路６４は、着脱位置において背面板８２の下流端側と大入賞手段２５の案内樋５７との間に少なくとも遊技球１個分の隙間ができる長さに形成する必要がある。背面板８２の下流端側と案内樋５７との間の隙間が確保されていれば、側板８１の下流端側を延設して大入賞手段２５の上面側に近接若しくは当接させてもよい。
【００３７】
特別図柄始動手段２４を遊技盤１３に取り付ける際には、図７に示すように、まず案内通路６４を着脱位置まで回動させた状態で、案内通路６４を遊技盤１３の取り付け孔１３ａに対して前側から挿入する（図７（Ａ））。案内通路６４は、着脱位置では案内樋６３と前後に略一直線状となるため、取り付け孔１３ａの縁部等に干渉することなく容易に挿入できる。またこのとき、案内孔８４内の突起部８５ａが回動規制ピン７５の移動を規制して案内通路６４が着脱位置に保持されるため、案内通路６４のふらつきがなく、作業をより容易に行うことができる。
【００３８】
案内通路６４を取り付け孔１３ａに挿入しつつソレノイド６５、案内樋６３等を取り付け孔１３ａ内に格納し、本体部６１の裏面側を遊技盤１３の前面に当接させると（図７（Ｂ））、続いて案内通路６４を着脱位置から案内位置まで略９０度回転させる（図７（Ｃ），（Ｄ））。これにより、案内通路６４の側板８１の前縁部８１ａが遊技盤１３の裏面側に当接した状態となる。最後に、ネジ等の固定手段を用いて本体部６１を遊技盤１３に固定すればよい。案内通路６４は、案内孔８４内の突起部８５ｂが回動規制ピン７５の移動を規制することにより案内位置に保持される。
【００３９】
普通図柄表示手段３０の変動後の停止図柄が予め定められた当たり態様となって特別図柄始動手段２４の開閉爪３１が開放し、入賞口６７内に遊技球が入賞すると、その遊技球は検出スイッチ６９で検出された後、開口６８を経て案内樋６３により遊技盤１３の裏側に案内される。そして、案内樋６３の後端側において開口部７３から下向きに流下し、案内通路６４により遊技盤１３の裏面側に沿って下方に案内される。このとき、案内通路６４は、案内孔８４内の突起部８５ｂが回動規制ピン７５の移動を規制することにより案内位置に保持されているため、例えば遊技球が背面板８２等に衝突したとしても揺動することなく遊技球を確実に案内できる。
【００４０】
案内通路６４により遊技盤１３の裏面側に沿って下向きに案内された遊技球は、大入賞手段２５の案内樋５７上に落下し、後ろ向きに案内された後、大入賞手段２５の後側から下方の集球カバー３５側に落下する。
【００４１】
以上説明したように、本実施形態では、案内通路６４を、特別図柄始動手段２４の裏側に回動自在に設けているため、特別図柄始動手段２４をその裏側の案内通路６４と共に遊技盤１３に対して容易且つ確実に着脱することが可能である。
【００４２】
特別図柄始動手段２４は、遊技盤１３に対して前側から着脱可能であり、案内通路６４は、案内位置と着脱位置との間で回動自在であるため、遊技盤１３に対して着脱する際には案内通路６４を着脱位置まで回動させて着脱作業を容易に行うことができ、また遊技盤１３に装着した状態では案内通路６４を案内位置まで回動させて遊技球を確実に所定方向（下向き）に案内させることができる。
【００４３】
案内孔８４内に突起部８５ｂを設け、その突起部８５ｂで回動規制ピン７５の移動を規制することにより案内通路６４を案内位置に保持するようになっているため、例えば遊技球が壁面に衝突したとしても揺動することなく、遊技球を確実に案内できる。
【００４４】
案内孔８４内に突起部８５ａを設け、その突起部８５ａで回動規制ピン７５の移動を規制することにより案内通路６４を着脱位置に保持するようになっているため、特別図柄始動手段２４を遊技盤１３に対して着脱する際に案内通路６４がふらつくことがなく、作業をより容易に行うことができる。
【００４５】
図１０及び図１１は本発明の第２の実施形態を例示し、固定レバー９１（着脱位置保持手段、案内位置保持手段）により案内通路６４を着脱位置及び案内位置で第１の実施形態よりも更に確実に保持できるようにした例を示している。
【００４６】
図１０及び図１１に示すように、案内樋６３の後壁７２の裏側には、固定レバー９１が、後壁７２の下部側に設けられた前後方向の回転軸９２廻りに回動自在に装着されている。固定レバー９１は、回転軸９２に回動自在に支持される支持部９３と、この支持部９３から後壁７２に沿って突出するレバー部９４とを一体に備えており、このレバー部９４は、上向きにしたときにその端面９４ａが着脱位置にある案内通路６４の背面板８２の前面８２ａに略当接し、下向きにしたときにその前面９４ｂが案内位置にある案内通路６４の背面板８２の裏面８２ｂに略当接する長さに形成されている。
【００４７】
更に、固定レバー部９１は、例えばレバー部９４を略水平にした状態で案内通路６４を案内位置と着脱位置との間で回動させた場合に背面板８２と干渉しない程度の前後方向厚さに形成されている。
【００４８】
以上のような構成により、案内通路６４が着脱位置にあるときに固定レバー９１のレバー部９４を上向きにすれば、レバー部９４の端面９４ａが案内通路６４の背面板８２の前面８２ａを下側から支持して案内通路６４が着脱位置に固定され、案内通路６４が案内位置にあるときに固定レバー９１のレバー部９４を下向きにすれば、レバー部９４の前面９４ｂが背面板８２の裏面８２ｂを後側から支持して案内通路６４が案内位置に固定される。また、案内通路６４を回動させる際には、固定レバー９１のレバー部９４を略水平にすればよい。
【００４９】
このように、本実施形態では、固定レバー９１により、案内通路６４を着脱位置と案内位置とに確実に固定することが可能となる。また、案内通路６４を遊技盤１３の裏面側を押さえた状態で固定できるため、例えば特別図柄始動手段２４を圧入ピン等により遊技盤１３に固定する場合には、その固定状態をより安定させることができる。
【００５０】
図１２は本発明の第３の実施形態を例示し、固定レバー９１等の別部材を用いることなく、第１の実施形態で示した回動軸７４、回動規制ピン７５、軸受け孔８３、案内孔８４の配置や形状を若干変更して案内位置保持手段９５を構成し、この案内位置保持手段９５により案内通路６４を案内位置で容易且つ確実に固定できるようにした例を示している。
【００５１】
図１２に示すように、本実施形態では、回動規制ピン７５と回動軸７４とが案内樋６３の側壁７０に上下に配置されている。案内通路６４の側板８１に設けられる軸受け孔８３は、案内通路６４の長手方向に沿った長孔状に形成されている。また、同じく側板８１に設けられる案内孔８４は、回動軸７４を軸受け孔８３の下流側端部８３ａにおいて案内通路６４を着脱位置と案内位置との間で回動させたときの回動規制ピン７５の軌跡に対応する１／４円弧状長孔部８４ａ−８４ｂと、案内通路６４を案内位置まで回動させた状態で回動軸７４を軸受け孔８３の上流側端部８３ｂまで相対移動させたときの回動規制ピン７５の軌跡に対応する長手方向長孔部８４ｂ−８４ｃとで構成されている。
【００５２】
更に、案内孔８４内には、その着脱位置側端部８４ａの近傍に、回動規制ピン７５を案内孔８４の着脱位置側端部８４ａで保持することにより、案内通路６４を着脱位置で保持するための突起部８５ａが設けられている。
【００５３】
特別図柄始動手段２４を遊技盤１３に取り付ける際には、図１２に示すように、まず案内通路６４を着脱位置まで回動させた状態で、案内通路６４を遊技盤１３の取り付け孔１３ａに対して前側から挿入しつつソレノイド６５、案内樋６３等を取り付け孔１３ａ内に格納し、本体部６１の裏面側を遊技盤１３の前面に当接させる（図１２（Ａ））。案内通路６４は、着脱位置では案内樋６３と前後に略一直線状となるため、取り付け孔１３ａの縁部に干渉することなく容易に挿入できる。またこのとき、案内孔８４内の突起部８５ａが回動規制ピン７５の移動を規制して案内通路６４が着脱位置に保持されるため、案内通路６４のふらつきがなく作業をより容易に行うことができる。
【００５４】
続いて、案内通路６４を着脱位置から案内位置まで略９０度回転させ（図１２（Ｂ））、案内通路６４の側板８１の前縁部８１ａが遊技盤１３の裏面側に当接した状態で、案内通路６４を遊技盤１３の裏面側に沿って下向きにスライドさせる（図１２（Ｃ），（Ｄ））。これにより、回動規制ピン７５の前後方向への移動が規制され、案内通路６４が案内位置で固定された状態となるため、遊技球を案内する際の案内通路６４の揺動が防止できる。また、案内通路６４を遊技盤１３の裏面側を押さえた状態で固定できるため、例えば特別図柄始動手段２４を圧入ピン等により遊技盤１３に固定する場合には、その固定状態をより安定させることができる。
【００５５】
また、本実施の形態の案内位置保持手段９５は、固定レバー９１等の別部材を用いることなく、第１の実施形態で示した回動軸７４、回動規制ピン７５、軸受け孔８３、案内孔８４の配置や形状を若干変更して構成しているため、コストを低く抑えることができる。
【００５６】
以上、本発明の各実施形態について詳述したが、本発明はこれら各実施形態に限定されるものではなく、本発明の趣旨を逸脱しない範囲内で種々の変更が可能である。例えば、回動軸７４や回動規制ピン７５を案内通路６４側に、軸受け孔８３や案内孔８４を案内樋６３側に設けてもよい。
【００５７】
第１，第２の実施形態においては、回動規制ピン７５や案内孔８４を省略してもよい。また、ストッパーなどの別の手段を設けて案内通路６４の回動範囲を規制するようにしてもよい。
【００５８】
第２の実施形態においては、案内通路６４を着脱位置で固定する固定レバーと案内位置で固定する固定レバーとを別々に設けてもよい。固定レバー９１は、案内通路６４を着脱位置と案内位置の何れか一方、例えば案内位置でのみ固定するものであってもよい。
【００５９】
突起部８５ａ，８５ｂ、固定レバー９１等は必須の構成ではなく、省略することも可能である。
【００６０】
案内通路６４は、遊技球を遊技盤１３の裏面側に沿って鉛直下向きに案内するものである必要はない。例えば、案内通路６４を左右方向に屈曲させて遊技球を左右方向斜め下向きに案内するようにしてもよいし、案内通路６４を後ろ向きに屈曲させたり或いは後斜め下向きの位置で固定するなどして、遊技球を遊技盤１３の裏面側から離れた位置で下向きに落下させるようにしてもよい。
【００６１】
実施形態では、案内通路６４を回動可能とした構成を特別図柄始動手段２４に適用した例を示したが、普通図柄始動手段２６、普通入賞手段２７等の他の入賞手段に同様の構成を適用することも可能である。
【００６２】
更に、実施形態ではパチンコ機を例に挙げて説明したが、アレンジボール機、雀球遊技機等のその他の弾球遊技機であっても同様に実施可能であることは言うまでもない。
【図面の簡単な説明】
【００６３】
【図１】本発明の第１の実施形態を示すパチンコ機の正面図である。
【図２】本発明の第１の実施形態を示すパチンコ機の遊技盤の正面図である。
【図３】本発明の第１の実施形態を示すパチンコ機の遊技盤下部の背面図である。
【図４】本発明の第１の実施形態を示すパチンコ機の縦断面図である。
【図５】本発明の第１の実施形態を示す特別図柄始動手段の側面図である。
【図６】本発明の第１の実施形態を示す特別図柄始動手段の部分斜視図である。
【図７】本発明の第１の実施形態を示す特別図柄始動手段の遊技盤への取り付け手順の説明図である。
【図８】本発明の第１の実施形態を示す大入賞手段の平面図である。
【図９】本発明の第１の実施形態を示す大入賞手段の斜視図である。
【図１０】本発明の第２の実施形態を示す特別図柄始動手段の部分斜視図である。
【図１１】本発明の第２の実施形態を示す特別図柄始動手段の側面図である。
【図１２】本発明の第３の実施形態を示す特別図柄始動手段の遊技盤への取り付け手順の説明図である。
【符号の説明】
【００６４】
１３    遊技盤
２４    特別図柄始動手段（入賞手段）
６４    案内通路
８５ａ  突起部（着脱位置保持手段）
８５ｂ  突起部（案内位置保持手段）
９１    固定レバー（案内位置保持手段、着脱位置保持手段）
９５    案内位置保持手段
【図１】
0004589359.tif 000002
【図２】
0004589359.tif 000003
【図３】
0004589359.tif 000004
【図４】
0004589359.tif 000005
【図５】
0004589359.tif 000006
【図６】
0004589359.tif 000007
【図７】
0004589359.tif 000008
【図８】
0004589359.tif 000009
【図９】
0004589359.tif 000010
【図１０】
0004589359.tif 000011
【図１１】
0004589359.tif 000012
【図１２】
0004589359.tif 000013